(57)【要約】【課題】蛍光記録材料を記録層に用いた光ディスクに対して、簡易な構成によりフォーカス制御を行う。【解決手段】  光ディスク１００は、蛍光記録材料により構成された記録層１０１に隣接して、光ビームを反射する反射膜１０５を有する。光ディスク装置３０は、波長選択性を有するダイクロイックプリズム４４により、光ビームＬ１が照射されて反射膜１０５で反射された、光ビームＬ１と同等の波長でなる反射光ビームＬ２を、記録層１０１から発生した再生光ビームＬ３から分離しサーボ用フォトディテクタ５０に入射させる。また光ディスク装置３０はサーボ用フォトディテクタ５０による検出結果を基に、対物レンズ４７のフォーカス制御を行う。これにより光ディスク装置３０は、光ディスク１００に記録された情報を再生するための光ビームを出射するレーザダイオードと同一のレーザダイオードから出射された光ビームに基づき、フォーカス制御を行うことができる。【選択図】図５
2011003258.tif 000002
【特許請求の範囲】
【請求項１】
光ビームを出射する光源と、
上記光源から上記光ビームが照射されると情報を表す記録マークの有無に応じて上記光ビームとは異なる波長の再生光ビームを発生する蛍光記録材料でなる記録層と、当該記録層に隣接し上記光ビームを反射する反射部とを有する光ディスクに、上記光ビームの焦点を合わせる対物レンズと、
上記光ディスクの上記反射部により反射された、上記光ビームと同等の波長でなる反射光ビームを、上記再生光ビームから分離する波長選択素子と、
上記波長選択素子により分離された上記反射光ビームを受光し位置検出信号を生成する反射光検出器と
を有し、
所定の信号処理部により、上記位置検出信号に基づき、上記光ビームの光軸方向に関する上記光ビームの焦点と上記記録層とのずれを表すフォーカスエラー信号を生成させ、
所定のレンズ移動部により、上記フォーカスエラー信号に基づき、上記対物レンズを上記光ディスクへ離接する方向へ移動させる
光ピックアップ。
【請求項２】
上記波長選択素子により上記反射光ビームから分離された上記再生光ビームを受光して再生検出信号を生成する再生光検出器をさらに有し、
所定の信号処理部により、上記再生検出信号に基づき、上記光ディスクに記録されている情報を再生する
請求項１に記載の光ピックアップ。
【請求項３】
上記光ディスクは、上記記録層及び当該記録層に隣接する上記反射部をそれぞれ複数有し、
上記対物レンズは、上記複数の反射部のうち一の反射部に上記光ビームの焦点を合わせ、
上記波長選択素子は、上記一の反射部に隣接した上記記録層で発生する上記再生光ビームを、上記一の反射部により反射された上記反射光ビームから分離する
請求項２に記載の光ピックアップ。
【請求項４】
上記光源は、所定の強度以上でなる上記光ビームを出射し、
上記記録層は、所定の強度以上でなる上記光ビームが照射されると上記再生光ビームを発生するか否かを相違させて上記記録マークが形成される
請求項１に記載の光ピックアップ。
【請求項５】
上記光ビームと上記反射光ビームとの偏光方向を相違させる偏光光学素子と、
上記光ビーム及び上記反射光ビームを偏光方向に応じた光路へそれぞれ進行させる偏光選択素子とをさらに有し、
上記対物レンズは、上記反射光ビームと上記再生光ビームとを上記光ビームと同一の光路に戻し、
上記波長選択素子は、上記光ビームと同一の光路を通り入射した上記反射光ビームを上記再生光ビームから分離して上記光ビームと同一の光路へ導き、
上記偏光選択素子は、上記波長選択素子により上記再生光ビームから分離されて上記光ビームと同一の光路を通った上記反射光ビームが入射され、上記光ビームと上記反射光ビームとの偏光方向の相違により、上記反射光ビームを上記光ビームとは異なった光路へ導き、上記反射光検出器に照射する
請求項１に記載の光ピックアップ。
【請求項６】
光ビームを出射する光源と、
上記光源から上記光ビームが照射されると情報を表す記録マークの有無に応じて上記光ビームとは異なる波長の再生光ビームを発生する蛍光記録材料でなる記録層と、当該記録層に隣接し上記光ビームを反射する反射部とを有する光ディスクに、上記光ビームの焦点を合わせる対物レンズと、
上記光ディスクの上記反射部により反射された、上記光ビームと同等の波長でなる反射光ビームを、上記再生光ビームから分離する波長選択素子と、
上記波長選択素子により分離された上記反射光ビームを受光し位置検出信号を生成する反射光検出器と、
上記位置検出信号に基づき、上記光ビームの光軸方向に関する上記光ビームの焦点と上記記録層とのずれを表すフォーカスエラー信号を生成する信号処理部と、
上記フォーカスエラー信号に基づき、上記対物レンズを上記光ディスクへ離接する方向へ移動させるレンズ移動部と
を有する光ディスク装置。
【発明の詳細な説明】
【技術分野】
【０００１】
本発明は、光ピックアップ及び光ディスク装置に関し、例えば光ビームを用いて記録媒体に情報を記録し、また光ビームを用いて当該記録媒体から当該情報を再生する光ディスク装置に適用して好適なものである。
【背景技術】
【０００２】
従来、光ディスク装置においては、ＣＤ（Compact Disc）、ＤＶＤ（Digital Versatile Disc）及びＢｌｕ−ｒａｙ  Ｄｉｓｃ（登録商標、以下ＢＤと呼ぶ）等、光ディスクに対して光ビームを照射し、その反射光を読み取ることにより情報を再生するようになされたものが広く普及している。
【０００３】
かかる光ディスク装置では、音楽コンテンツや映像コンテンツ等の各種コンテンツ、或いはコンピュータ用の各種データ等のような種々の情報を光ディスクに記録するようになされている。特に近年では、映像の高精細化や音楽の高音質化等により情報量が増大し、また１枚の光ディスクに記録するコンテンツ数の増加が要求されているため、当該光ディスクのさらなる大容量化が求められている。
【０００４】
そこで、図１に示すような、蛍光記録材料を記録層に用いた体積型記録媒体の光ディスク１０を利用した光ディスク装置１が検討されている（非特許文献１参照）。
【０００５】
光ディスク装置１は、サーボ制御のためのサーボ光学系２と、情報の記録又は再生のための情報光学系３とを有している。
【０００６】
光ディスク装置１は、サーボ光学系２のサーボ用レーザダイオード４から波長約７８０［ｎｍ］のレーザ光でなる赤外光ビームを出射させ、ビームスプリッタ５、リレーレンズ６、第１ダイクロイックミラー７、第２ダイクロイックミラー８、対物レンズ９を介して光ディスク１０に照射する。
【０００７】
第１ダイクロイックミラー７は光ビームの波長により透過率及び反射率が異なる、いわゆる波長選択性を有しており、赤外光ビームをほぼ１００［％］の割合で反射し、他の波長の光ビームをほぼ１００［％］の割合で透過させるようになされている。このため第１ダイクロイックミラー７は、赤外光ビームを反射する。
【０００８】
また第２ダイクロイックミラー８は、赤色光ビーム及び赤外光ビームをほぼ１００［％］の割合で透過させ、他の波長の光ビームをほぼ１００［％］の割合で反射するようになされている。このため第２ダイクロイックミラー８は、赤外光ビームを透過させる。
【０００９】
光ディスク１０は、基板１１と、情報を記録するための記録層１２と、光ビームを反射する反射膜１３とを有している。
【００１０】
記録層１２は蛍光記録材料でなり、高い光強度の光ビームを照射されるとその焦点付近において光化学反応が起き、蛍光を発しやすい構造となることで、記録マークが形成されるようになされている。また記録層１２において光化学反応が起こった箇所は、光ビームを照射されると、当該照射された光ビームとは異なる波長の光ビームを発生する。
【００１１】
続いて光ディスク装置１は、光ディスク１０の反射膜１３から反射された反射光ビームを、対物レンズ９、第２ダイクロイックミラー８、第１ダイクロイックミラー７、リレーレンズ６を介してビームスプリッタ５へ入射させる。
【００１２】
ビームスプリッタ５は反射光ビームの一部を反射し、サーボ用フォトディテクタ１４に照射する。サーボ用フォトディテクタ１４は検出領域を有しており、検出した光量に応じて検出信号を生成する。
【００１３】
光ディスク装置１は当該検出信号に基づき、図示しないアクチュエータにより対物レンズ９を移動させ、トラッキング制御及びフォーカス制御を行う。
【００１４】
光ディスク装置１は情報を記録する際、情報光学系２のレーザダイオード１５から高い光強度でなる波長約６６０［ｎｍ］の赤色光ビームを出射させ、第１ダイクロイックミラー７、第２ダイクロイックミラー８、対物レンズ９を介して光ディスク１０の記録層１１に照射して記録マークを形成する。
【００１５】
一方光ディスク装置１は情報を再生する際、情報光学系２のレーザダイオード１５から、記録をする際よりも低い光強度でなる赤色光ビームを出射させ、第１ダイクロイックミラー７、第２ダイクロイックミラー８、対物レンズ９を介して赤色光ビームを光ディスク１０の記録層１１に照射する。
【００１６】
記録層１１は、記録マークに光ビームが照射されると、照射された光ビームとは異なる波長の再生光ビームを発生する。
【００１７】
光ディスク装置１は、再生光ビームを、対物レンズ９を介して第２ダイクロイックミラー８に入射させる。第２ダイクロイックミラー８は、赤色光ビームとは波長が異なる再生光ビームを反射し、集光レンズ１６により集光して再生用フォトディテクタ１７に入射させる。
【００１８】
フォトディテクタ１７は検出領域を有しており、検出した光量に応じて再生検出信号を生成する。
【００１９】
光ディスク装置１は当該再生検出信号に基づき、再生検出信号に対して所定の復調処理や復号化処理等を施すことにより再生情報を生成する。
【００２０】
図１に示したように、光ディスク装置１においては情報の記録又は再生のための情報光学系３とは別に、フォーカス制御等のサーボ制御を行うためにサーボ光学系２を有している。
【００２１】
一方光ディスクを大容量化する手法の一つとして、図２に示すような、対物レンズ２１により集光された光ビームにより記録マークが作成される記録層２２を中間層２３で挟み込んだ構造でなる、多層の記録層を有する光ディスク２０も検討されている。（非特許文献２参照）。
【００２２】
光ディスク２０における記録層２２は、記録用の光ビームを照射されることで光の屈折率を変化させる材料により構成され、記録用光のビームの焦点付近の屈折率が変化することで、記録マークが形成されるようになされている。
【先行技術文献】
【非特許文献】
【００２３】
【非特許文献１】teradisc technology. [online]. mempile, inc. [retrieved on2009-06-01]. Retrieved from the Internet: <URL:http://www.mempile.com/TeraDisc%E2%84%A2+Technology/>.
【非特許文献２】Y. Kawata et. al, "Three-dimensional optical data storage usingthree-dimensional optics," Optical Engineering, Vol.40 ,2001, p.2247-2254
【発明の概要】
【発明が解決しようとする課題】
【００２４】
しかしながらこのような光ディスク２０を用いた光ディスク装置においても、光ディスク装置１（図１）と同様に、情報の記録又は再生のための情報光学系とは別に、フォーカス制御等のサーボ制御を行うためにサーボ光学系が必要であった。このため光ディスク２０を用いた光ディスク装置においては、装置の構成が複雑になってしまっていた。
【００２５】
本発明は以上の点を考慮してなされたもので、蛍光記録材料を記録層に用いた光ディスクに対して、簡易な構成によりフォーカス制御を行う光ピックアップ及び光ディスク装置を提案しようとするものである。
【課題を解決するための手段】
【００２６】
かかる問題を解決するため本発明の光ディスク装置においては、光ビームを出射する光源と、光源から光ビームが照射されると情報を表す記録マークの有無に応じて光ビームとは異なる波長の再生光ビームを発生する蛍光記録材料でなる記録層と、当該記録層に隣接し光ビームを反射する反射部とを有する光ディスクに、光ビームの焦点を合わせる対物レンズと、光ディスクの反射部により反射された、光ビームと同等の波長でなる反射光ビームを、再生光ビームから分離する波長選択素子と、波長選択素子により分離された反射光ビームを受光し位置検出信号を生成する反射光検出器と、位置検出信号に基づき、光ビームの光軸方向に関する光ビームの焦点と記録層とのずれを表すフォーカスエラー信号を生成する信号処理部と、フォーカスエラー信号に基づき、対物レンズを光ディスクへ離接する方向へ移動させるレンズ移動部とを設けるようにした。
【００２７】
この光ディスク装置では、光ディスクに記録された情報を再生するための光ビームを出射する光源と同一の光源から出射された光ビームに基づき、フォーカス制御を行うことができる。
【発明の効果】
【００２８】
本発明によれば、光ディスクに記録された情報を再生するための光ビームを出射する光源と同一の光源から出射された光ビームに基づき、フォーカス制御を行うことができる。かくして本発明は、蛍光記録材料を記録層に用いた光ディスクに対して、簡易な構成によりフォーカス制御を行う光ピックアップ及び光ディスク装置を実現できる。
【図面の簡単な説明】
【００２９】
【図１】蛍光記録材料を用いた光ディスクを利用した光ディスク装置の構成を示す略線図である。
【図２】多層の記録層を有する光ディスクの構成を示す略線図である。
【図３】光ディスクの構成を示す略線図である。
【図４】光ディスク装置の全体構成を示す略線図である。
【図５】光ピックアップの構成（１）を示す略線図である。
【図６】フォトディテクタにおける検出領域の構成を示す略線図である。
【図７】光ピックアップの構成（２）を示す略線図である。
【図８】他の実施の形態による光ピックアップの構成を示す略線図である。
【発明を実施するための形態】
【００３０】
以下、発明を実施するための形態（以下実施の形態とする）について説明する。なお、説明は以下の順序で行う。
１．実施の形態
２．他の実施の形態
【００３１】
＜１．実施の形態＞
［１−１．光ディスクの構成］
まず、本発明において光情報記録媒体として用いられる光ディスク１００について説明する。図３（Ａ）に外観図を示すように、光ディスク１００は、全体として従来のＣＤ、ＤＶＤ及びＢＤと同様に直径約１２０［ｍｍ］の円盤状に構成されており、中央部分に孔部１００Ｈが形成されている。
【００３２】
また光ディスク１００は、図３（Ｂ）に断面図を示すように、情報を記録するための記録層１０１とスペーサとしての中間層１０２とが交互に重ね合わされ、さらに基板１０３及び１０４により当該記録層１０１及び中間層１０２を両面から挟むように構成されている。
【００３３】
基板１０３及び１０４は、例えばポリカーボネイトやガラス等の材料により構成されており、いずれも一面から入射される光をその反対面へ高い透過率で透過させるようになされている。また基板１０３及び１０４は、ある程度の強度を有しており、記録層１０１及び中間層１０２を保護する役割も担うようになされている。
【００３４】
中間層１０２は、基板１０３及び１０４と同様に、一面から入射される光をその反対面へ高い透過率で透過させるようになされている。
【００３５】
記録層１０１は、高い光強度の光ビームを照射されるとその焦点付近において２光子吸収反応が起き、蛍光を発しやすい構造となることで記録マークが形成される蛍光記録材料でなり、波長約４０５［ｎｍ］でなる青色光ビームに反応するようになされている。
【００３６】
記録層１０１は上記記録マークに青色光ビームを照射されると、いわゆるストークスシフトにより、当該青色光ビームよりも長い波長でなる再生光ビームを発生する。
【００３７】
また光ディスク１００は、記録層１０１と中間層１０２との境界面であり記録層１０１の片面の基板１０３側に、反射層としての反射膜１０５が形成されている。反射膜１０５は波長選択性を有していない誘電体多層膜等でなり、照射された光ビームを例えば１［％］の割合で反射する。
【００３８】
また反射膜１０５は、トラッキングサーボ用の案内溝を形成しており、具体的には、一般的なＢＤ−Ｒ（Recordable）ディスク等と同様のランド及びグルーブにより螺旋状のトラックを形成している。このトラックには、所定の記録単位ごとに一連の番号でなるアドレスが付されており、情報を記録又は再生するトラックを当該アドレスにより特定し得るようになされている。
【００３９】
なお反射膜１０５（すなわち記録層１０１と中間層１０２との境界面）には、案内溝に代えてピット等が形成され、或いは案内溝とピット等とが組み合わされていても良い。
【００４０】
この反射膜１０５は、基板１０３側から光ビームが照射された場合、これを当該基板１０３側へ反射する。以下、このとき反射された光ビームを反射光ビームと呼ぶ。
【００４１】
この反射光ビームは、例えば光ディスク装置において、目標とするトラック（以下目標トラックと呼ぶ）に対して、所定の対物レンズ４７により集光された光ビームの焦点Ｆを合わせるため、対物レンズ４７の位置制御（すなわちフォーカス制御及びトラッキング制御）に用いられることが想定されている。
【００４２】
実際上、光ディスク１００に情報が記録されるとき、位置制御された対物レンズ４７により青色光ビームが集光され、例えば反射膜１０５Ｃの目標トラックに合焦される。
【００４３】
このとき青色光ビームが記録処理時に使用される光強度でなる光ビームＬ１である場合、反射膜１０５Ｃから対物レンズ４７に対して離隔する方向に隣接している記録層１０１Ｃ内には、当該光ビームＬ１が集光されて所定強度以上となった部分（すなわち焦点Ｆ周辺）で２光子吸収反応が起き、記録マークが形成される。
【００４４】
ここで、図１に示した体積型記録媒体の光ディスク１０においては、サーボ制御を行う赤外光ビームの焦点は反射膜１３に合焦しており、一方、情報の記録又は再生を行う赤色光ビームの焦点は、赤外光ビームの焦点から光軸方向へ所定の距離を経て記録層１２内部に合焦していた。このように光ディスク１０においては、サーボ制御と情報の記録又は再生とで光ビームの焦点位置が異なっていた。
【００４５】
これに対して光ディスク１００では、それぞれの記録層１０１に対して反射膜１０５が隣接しており、反射膜１０５に焦点が合うと、当該反射膜１０５に隣接している記録層１０１にも焦点が合っているとみなすことができる。
【００４６】
一方、光ディスク１００は、情報が再生されるとき、当該情報を記録したときと同様に、対物レンズ４７により集光された、青色光ビームでなる光ビームＬ１が反射膜１０５Ｃ（すなわち記録層１０１Ｃ）の目標トラックに合焦されるよう、当該対物レンズ４７が位置制御されるようになされている。
【００４７】
このとき焦点Ｆの位置に記録されている記録マークは蛍光を発生しやすい構造になっており、青色光ビームよりも長い波長でなる再生光ビームを発生する。
【００４８】
一方、記録マークを記録しなかった箇所（すなわち未記録部分）に対して青色光ビームでなる光ビームＬ１を照射されると、再生光ビームは発生されない。
【００４９】
このように光ディスク１００は、記録済みの情報が再生される場合、反射膜１０５により青色光でなる光ビームＬ１を反射して反射光ビームＬ２とし、当該反射膜１０５に対応した記録層１０１の記録マークから、光ビームＬ１よりも長い波長でなる再生光ビームを発生させるようになされている。
【００５０】
［１−２．光ディスク装置の構成］
次に、上述した光ディスク１００に対応した光ディスク装置３０について説明する。光ディスク装置３０は、図４に示すように、制御部３１により全体を統括制御するようになされている。
【００５１】
制御部３１は、図示しないＣＰＵ（Central Processing Unit）を中心に構成されており、図示しないＲＯＭ（Read Only Memory）から基本プログラムや情報記録プログラム等の各種プログラムを読み出し、これらを図示しないＲＡＭ（Random Access Memory）に展開することにより、情報記録処理等の各種処理を実行するようになされている。
【００５２】
例えば制御部３１は、光ディスク１００が装填された状態で、図示しない外部機器等から情報記録命令、記録情報及び記録アドレス情報を受け付けると、駆動命令及び記録アドレス情報を駆動制御部３２へ供給すると共に、記録情報を信号処理部３３へ供給する。因みに記録アドレス情報は、光ディスク１００の反射膜１０５に付されたアドレスのうち、記録情報を記録すべきアドレスを示す情報である。
【００５３】
駆動制御部３２は、駆動命令に従い、スピンドルモータ３４を駆動制御することにより光ディスク１００を所定の回転速度で回転させる。これと共に、スレッドモータ３５を駆動制御することにより、光ピックアップ３６を移動軸Ｇに沿って光ディスク１００の径方向（すなわち内周方向又は外周方向）における記録アドレス情報に対応した位置へ移動させる。
【００５４】
信号処理部３３は、供給された記録情報に対して所定の符号化処理や変調処理等の各種信号処理を施すことにより記録信号を生成し、これを光ピックアップ３６へ供給する。
【００５５】
光ピックアップ３６は、駆動制御部３２の制御に基づいてフォーカス制御及びトラッキング制御を行うことにより、光ディスク１００の反射膜１０５における記録アドレス情報により示されるトラック（目標トラック）に光ビームＬ１の照射位置を合わせる。これにより光ピックアップ３６は、当該反射膜１０５に対応した記録層１０１に信号処理部３３からの記録信号に応じた記録マークを記録するようになされている。
【００５６】
また制御部３１は、例えば外部機器（図示せず）から情報再生命令及び当該記録情報のアドレスを示す再生アドレス情報を受け付けると、駆動制御部３２に対して駆動命令を供給すると共に、再生処理命令を信号処理部３３へ供給する。
【００５７】
駆動制御部３２は、情報を記録する場合と同様、スピンドルモータ３４を駆動制御することにより光ディスク１００を所定の回転速度で回転させると共に、スレッドモータ３５を駆動制御することにより光ピックアップ３６を再生アドレス情報に対応した位置へ移動させる。
【００５８】
光ピックアップ３６は、駆動制御部３２の制御に基づいてフォーカス制御及びトラッキング制御を行うことにより、光ディスク１００の反射膜１０５における再生アドレス情報により示されるトラック（すなわち目標トラック）に光ビームＬ１の照射位置を合わせ、所定光量の光ビームＬ１を照射する。このとき光ピックアップ３６は、光ディスク１００における記録層１０１の記録マークから発生される再生光ビームを検出し、その光量に応じた検出信号を信号処理部３３へ供給するようになされている。
【００５９】
以下では、光ディスク装置３０が記録又は再生を行う対象の記録層及び当該記録層に対応した反射膜（例えば記録層１０１Ｃ及び反射膜１０５Ｃ）とをまとめて記録対象層１００Ｔとも呼ぶ。
【００６０】
信号処理部３３は、供給された検出信号に対して所定の復調処理や復号化処理等の各種信号処理を施すことにより再生情報を生成し、この再生情報を制御部３１へ供給する。これに応じて制御部３１は、この再生情報を外部機器（図示せず）へ送出するようになされている。
【００６１】
このように光ディスク装置３０は、制御部３１によって光ピックアップ３６を制御することにより、光ディスク１００の記録対象層１００Ｔにおける目標トラックに情報を記録し、また当該目標トラックから情報を再生するようになされている。
【００６２】
［１−３．光ピックアップの構成］
［１−３−１．フォーカス制御及びトラッキングエラー制御］
次に、図５に示す光ピックアップ３６の構成について説明する。また、記録対象層１００Ｔは、記録層１０１Ｃ及び反射膜１０５Ｃとする。
【００６３】
レーザダイオード４１は、波長約４０５［ｎｍ］の青色レーザ光を出射し得るようになされている。実際上レーザダイオード４１は、制御部３１（図４）の制御に基づいて発散光でなる所定光量の光ビームＬ１を発射し、コリメータレンズ４２へ入射させる。コリメータレンズ４２は、光ビームＬ１を発散光から平行光に変換し偏光ビームスプリッタ４３へ入射させる。
【００６４】
偏光ビームスプリッタ４３は、反射透過面４３Ｓにおいて、光ビームの偏光方向により異なる割合で当該光ビームを反射又は透過させるようになされている。例えば反射透過面４３Ｓは、ｐ偏光の光ビームを約１００［％］の割合で透過させ、ｓ偏光の光ビームを約１００［％］の割合で反射するようになされている。
【００６５】
実際上、偏光ビームスプリッタ４３は、反射透過面４３Ｓにおいてｐ偏光でなる光ビームＬ１をそのまま通過させ、ダイクロイックプリズム４４へ入射させる。
【００６６】
ダイクロイックプリズム４４の反射透過面４４Ｓは、光ビームの波長により透過率及び反射率が異なる、いわゆる波長選択性を有しており、青色光ビームを約１００［％］の割合で透過させ、他の波長でなる光ビームをほぼ１００［％］の割合で反射するようになされている。このためダイクロイックプリズム４４は、反射透過面４４Ｓにおいて光ビームＬ１を透過させ、１／４波長板４５へ入射させる。
【００６７】
１／４波長板４５は、光ビームＬ１を直線偏光から例えば左円偏光に変換してリレーレンズ４６へ入射させる。リレーレンズ４６は、光ビームＬ１を平行光から発散光に変換し、対物レンズ４７へ入射させる。
【００６８】
ここでリレーレンズ４６は、図示しないアクチュエータにより光ビームＬ１の光軸方向に移動されるようになされている。実際上、リレーレンズ４６は、制御部３１（図４）の制御に基づきアクチュエータによって移動されることにより、出射される光ビームＬ１の発散状態を変化させる。これによりリレーレンズ４６は、光ビームＬ１が集光され光ディスク１００の目標トラックに到達した際に生じる球面収差と逆特性となるような球面収差を当該光ビームＬ１に予め与え、光ビームＬ１の目標トラック到達時における球面収差を補正し得るようになされている。
【００６９】
対物レンズ４７は、光ビームＬ１を集光し、記録対象層１００Ｔへ向けて照射する。このとき光ビームＬ１は、図３に示したように、基板１０３を透過し記録対象層１００Ｔの反射膜１０５Ｃにおいてその一部が反射されて光ビームＬ１と反対方向へ向かい、その偏光方向が右円偏光でなる反射光ビームＬ２となる。
【００７０】
反射光ビームＬ２は、対物レンズ４７によって収束光に変換された後、リレーレンズ４６を介して１／４波長板４５へ入射される。１／４波長板４５は、右円偏光でなる反射光ビームＬ２をｓ偏光に変換し、ダイクロイックプリズム４４へ入射させる。
【００７１】
ダイクロイックプリズム４４は、反射透過面４４Ｓにおいて、青色光でなる反射光ビームＬ２を透過させ、偏光ビームスプリッタ４３へ入射させる。偏光ビームスプリッタ４３は、ｓ偏光でなる反射光ビームＬ２を反射し、集光レンズ４８へ入射させる。
【００７２】
集光レンズ４８は、反射光ビームＬ２を集光し、シリンドリカルレンズ４９により非点収差を持たせた上で当該反射光ビームＬ２をサーボ用フォトディテクタ５０へ照射する。
【００７３】
光ピックアップ３６においては、対物レンズ４７により光ビームＬ１が集光され光ディスク１００の記録対象層１００Ｔへ照射されるときの合焦状態が、集光レンズ４８により反射光ビームＬ２が集光されサーボ用フォトディテクタ５０に照射されるときの合焦状態に反映されるよう、各種光学部品の光学的位置が調整されている。
【００７４】
また対物レンズ４７は、２軸アクチュエータ５４（図４）により、光ディスク１００に対する近接方向又は離隔方向であるフォーカス方向と、光ディスク１００の内周側方向又は外周側方向であるトラッキング方向との２軸方向へ駆動され得るようになされている。
【００７５】
サーボ用フォトディテクタ５０は、図６に示すように、反射光ビームＬ２が照射される面上に、格子状に分割された４つの検出領域５０Ａ、５０Ｂ、５０Ｃ及び５０Ｄを有している。因みに矢印ａ１により示される方向（図中の縦方向）は、光ビームＬ１が反射膜１０５（図３）に照射されるときの、トラックの走行方向に対応している。
【００７６】
サーボ用フォトディテクタ５０は、検出領域５０Ａ、５０Ｂ、５０Ｃ及び５０Ｄにより反射光ビームＬ２の一部をそれぞれ検出し、このとき検出した光量に応じて位置検出信号ＳＤＡ、ＳＤＢ、ＳＤＣ及びＳＤＤをそれぞれ生成して、これらを信号処理部３３（図４）へ送出する。
【００７７】
信号処理部３３は、いわゆる非点収差法によるフォーカス制御を行うようになされており、次に示す（１）式に従ってフォーカスエラー信号ＳＦＥを算出し、これを駆動制御部３２へ供給する。
【００７８】
【数１】
2011003258.tif 000003
【００７９】
このフォーカスエラー信号ＳＦＥは、光ビームＬ１の焦点Ｆと光ディスク１００の記録対象層１００Ｔとの光ビームＬ１の光軸方向のずれ量を表すことになる。ここで、光ビームＬ１が目標トラックからフォーカス方向に焦点がずれてデフォーカスした場合、サーボ用フォトディテクタ５０に照射される際のスポットの形状が、デフォーカス量に応じて変化することとなる。
【００８０】
また信号処理部３３は、いわゆるプッシュプル法によるトラッキング制御を行うようになされており、次に示す（２）式に従ってトラッキングエラー信号ＳＴＥを算出し、これを駆動制御部３２へ供給する。
【００８１】
【数２】
2011003258.tif 000004
【００８２】
このトラッキングエラー信号ＳＴＥは、焦点Ｆと光ディスク１００の記録対象層１００Ｔにおける目標トラックとの径方向のずれ量を表すことになる。
【００８３】
駆動制御部３２は、フォーカスエラー信号ＳＦＥを基にフォーカス駆動信号ＳＦＤを生成し、当該フォーカス駆動信号ＳＦＤを２軸アクチュエータ５４へ供給する。これにより駆動制御部３２は、光ビームＬ１が光ディスク１００の記録対象層１００Ｔに合焦するよう、対物レンズ４７をフィードバック制御（すなわちフォーカス制御）する。
【００８４】
また駆動制御部３２は、トラッキングエラー信号ＳＴＥを基にトラッキング駆動信号ＳＴＤを生成し、当該トラッキング駆動信号ＳＴＤを２軸アクチュエータ５４へ供給することにより、光ビームＬ１が光ディスク１００の記録対象層１００Ｔにおける目標トラックに合焦するよう、対物レンズ４７をフィードバック制御（すなわちトラッキング制御）する。
【００８５】
このように光ピックアップ３６は、光ビームＬ１を光ディスク１００の記録対象層１００Ｔに照射し、その反射光である反射光ビームＬ２の受光結果を信号処理部３３へ供給するようになされている。これに応じて駆動制御部３２は、当該光ビームＬ１を当該記録対象層１００Ｔの目標トラックに合焦させるよう、対物レンズ４７のフォーカス制御及びトラッキング制御を行うようになされている。
【００８６】
［１−３−２．光ディスクに対する情報の記録］
光ディスク１００に情報を記録する場合、光ディスク装置３０の制御部３１（図４）は、上述したように、外部機器（図示せず）等から情報記録命令、記録情報及び記録アドレス情報を受け付けると、駆動命令及び記録アドレス情報を駆動制御部３２へ供給すると共に、記録情報を信号処理部３３へ供給する。
【００８７】
このとき駆動制御部３２は、光ピックアップ３６のレーザダイオード４１から、記録処理時よりも低い光強度の青色光でなる光ビームＬ１を光ディスク１００に照射させる。また駆動制御部３２は、その反射光である反射光ビームＬ２の検出結果を基に、対物レンズ４７のフォーカス制御及びトラッキング制御（すなわち位置制御）を行うことにより、光ビームＬ１の焦点Ｆを記録アドレス情報に対応した目標トラックに追従させる。
【００８８】
続いて駆動制御部３２は、光ピックアップ３６のレーザダイオード４１から高い光強度でなる青色光の光ビームＬ１を出射させる。
【００８９】
光ビームＬ１は、コリメータレンズ４２、偏光ビームスプリッタ４３、ダイクロイックプリズム４４、１／４波長板４５、リレーレンズ４６、対物レンズ４７を介して光ディスク１００の目標トラックに合焦される。
【００９０】
上述したように光ディスク１００においては、記録対象層１００Ｔは記録層１０１と、当該記録層に隣接する反射膜１０５とが一体になっているとみなせる。このため光ビームＬ１の焦点Ｆが反射膜１０５に合焦していても、当該反射膜１０５に対応した記録層１０１内に記録マークを形成させることができる。
【００９１】
このとき記録層１０１内には、光ビームＬ１が集光されて所定強度以上となった部分（すなわち焦点Ｆ周辺）で２光子吸収反応が起き、蛍光を発生しやすい構造となることにより、記録マークが形成される。
【００９２】
ところで信号処理部３３（図４）は、外部機器（図示せず）等から供給される記録情報を基に、例えば値「０」又は「１」のバイナリデータを表す記録信号を生成する。これに応じてレーザダイオード４１は、例えば記録信号が値「１」である時に光ビームＬ１を出射し、記録信号が値「０」である時に光ビームＬ１を出射しないようになされている。
【００９３】
このように光ディスク装置３０では、記録信号が値「１」のときには光ディスク１００の記録層１０１内に記録マークを形成し、当該記録信号が値「０」のときには当該記録マークを形成しない。
【００９４】
これにより光ディスク装置３０は、当該記録マークの有無により焦点Ｆの位置に記録信号の値「１」又は「０」を記録することができ、結果的に記録情報を光ディスク１００の記録層１０１に記録することができる。
【００９５】
［１−３−３．光ディスクからの情報の再生］
光ディスク１００から情報を再生する場合、光ディスク装置３０の制御部３１（図４）は、光ピックアップ３６のレーザダイオード４１から青色光でなる光ビームＬ１を光ディスク１００に照射させる。
【００９６】
光ビームＬ１は、コリメータレンズ４２、偏光ビームスプリッタ４３、ダイクロイックプリズム４４、１／４波長板４５、リレーレンズ４６、対物レンズ４７を介して光ディスク１００の目標トラックに合焦される。
【００９７】
制御部３１は、反射層１０５により反射された青色光でなる反射光ビームＬ２の検出結果を基に、駆動制御部３２により対物レンズ４７のフォーカス制御及びトラッキング制御（すなわち位置制御）を行わせる。
【００９８】
またこのとき上記反射層１０５に対応した記録層１０１の目標トラックに記録マークが形成されていると、当該記録マークは照射された光ビームに応じて蛍光を発生しやすい構造となっているため、光ビームＬ１よりも長い波長でなる再生光ビームＬ３を発生する。
【００９９】
再生光ビームＬ３は、対物レンズ４７、リレーレンズ４６及び１／４波長板４５を介してダイクロイックプリズム４４に入射される。
【０１００】
ダイクロイックプリズム４４の反射透過面４４Ｓは、青色光以外の波長でなる光ビームをほぼ１００［％］の割合で反射するようになされている。このためダイクロイックプリズム４４は、当該反射透過面４４Ｓにおいて再生光ビームＬ３を反射し、集光レンズ５１へ入射させる。
【０１０１】
集光レンズ５１は、再生光ビームＬ３を集光し、ピンホール板５２を介して再生用フォトディテクタ５３へ照射させる。
【０１０２】
ここでピンホール板５２は孔部を有しており、当該孔部の内部に再生光ビームＬ３の焦点を位置させるよう配置されているため、当該再生光ビームＬ３をそのまま通過させることになる。
【０１０３】
このためピンホール板５２は、例えば光ディスク１００における基板１０３の表面や、目標トラックとは異なる位置にある記録マーク等から反射されるような焦点の異なる光（以下、これを迷光ＬＮと呼ぶ）をほぼ遮断することになる。
【０１０４】
再生用フォトディテクタ５３には、検出領域が設けれており、当該検出領域により再生光ビームＬ３を検出し、このとき検出した光量に応じて再生検出信号を生成して、これらを信号処理部３３（図４）へ送出する。
【０１０５】
かくして光ディスク装置３０の制御部３１は、光ディスク１００の記録層１０１内に記録されている記録マークから、光ビームＬ１とは異なる波長の再生光ビームＬ３を発生させ、これを受光することにより、記録マークが記録されていることを検出することができる。
【０１０６】
ここで光ディスク装置３０は、焦点Ｆの位置、すなわち目標トラックに記録マークが記録されていなかった場合、当該焦点Ｆの位置からは再生光ビームＬ３が発生しないため、光ピックアップ３６により、当該再生光ビームＬ３を受光しなかったことを示す再生検出信号を生成することになる。
【０１０７】
これに応じて信号処理部３３は、再生検出信号を基に、再生光ビームＬ３が検出されたか否かを値「１」又は「０」として認識し、この認識結果を基に再生情報を生成する。
【０１０８】
このように光ディスク装置３０では、光ディスク１００の記録層１０１内の焦点Ｆの位置（目標トラック）に記録マークが形成されているときには再生光ビームＬ３を受光し、当該記録マークが形成されていないときには再生光ビームＬ３を受光しない。
【０１０９】
これにより光ディスク装置３０は、焦点Ｆの位置に値「１」又は「０」のいずれが記録されているかを認識することができ、結果的に光ディスク１００の記録層１０１に記録された情報を再生することができる。
【０１１０】
［１−４．動作及び効果］
以上の構成において光ディスク装置３０の制御部３１は、光ディスク１００から情報を再生する際、レーザダイオード４１から青色光でなる光ビームＬ１を当該光ディスク１００の記録対象層１００Ｔに照射させる。
【０１１１】
記録対象層１００Ｔにおける反射膜１０５により反射された、光ビームＬ１と同様の波長でなる反射光ビームＬ２は、ダイクロイックプリズム４４を透過し、偏光ビームスプリッタ４３により反射されてサーボ用フォトディテクタ５０に入射する。
【０１１２】
制御部３１は、反射光ビームＬ２の検出結果を基に、対物レンズ３８のフォーカス制御及びトラッキング制御を行い、光ビームＬ１の焦点Ｆを目標トラックに追従させる。
【０１１３】
また記録対象層１００Ｔにおける記録層１０１に形成されている記録マークは、光ビームＬ１を照射されると当該光ビームＬ１よりも長い波長でなる再生光ビームＬ３を発生する。
【０１１４】
再生光ビームＬ３は、ダイクロイックプリズム４４に入射され、青色光以外の波長でなる光ビームをほぼ１００［％］の割合で反射する反射透過面４４Ｓにより反射されて、集光レンズ５１を介して再生用フォトディテクタ５３に入射する。
【０１１５】
光ディスク装置３０の信号処理部３３は、再生用フォトディテクタ５３により生成された再生検出信号を基に、再生情報を生成する。
【０１１６】
これにより光ディスク装置３０は、反射光ビームＬ２よりも微弱な光量である再生光ビームＬ３を、反射光ビームＬ２から分離することができ、光ディスク１００に記録されている情報を高い精度で再生することができる。
【０１１７】
また、図１に示した体積型記録媒体の光ディスク１０においては、サーボ制御を行う反射膜１３の位置と、情報の記録を行う記録層１２の位置とが隔たれていた。このため光ディスク装置１は、光ビームの焦点をそれぞれ反射膜１３と記録層１２とに合わせる必要があった。
【０１１８】
これにより光ディスク装置１は、サーボ制御を行う赤外光ビームと、情報の再生を行う赤色光ビームとの、２つの焦点をある程度離隔させていた。
【０１１９】
これに対して光ディスク１００では、それぞれの記録層１０１に対して反射膜１０５が隣接しており、反射膜１０５に光ビームの焦点が合うと、当該反射膜１０５に対応した記録層１０１にも当該光ビームの焦点が合っているとみなすことができる。
【０１２０】
このため光ディスク装置３０は、光ビームＬ１の焦点Ｆを記録対象層１０５に合焦させるだけで、サーボ制御と情報の再生とを行うことができる。
【０１２１】
これにより光ディスク装置３０では、サーボ制御と情報の再生とで異なる位置に焦点を合わせるための複数のレーザダイオードを設ける必要がなく、簡易な構成によりサーボ制御を行うことができる。
【０１２２】
また、仮に光ディスク１００に反射膜１０５がない場合、光ディスク装置３０は光ディスク１００から情報を再生する際、記録層１０１から発生する再生光ビームＬ３を基にフォーカス制御を行うことも考えられる。
【０１２３】
しかしながら蛍光記録材料により構成された記録層１０１から発生した再生光ビームＬ３においては、目標トラックからフォーカス方向に焦点がずれてデフォーカスした場合、サーボ用フォトディテクタ５０に照射される際のスポットの形状が、デフォーカス量に応じて変化しないことがある。このため光ディスク装置３０は、安定的にフォーカス制御を行えない恐れがある。
【０１２４】
これに対して光ディスク装置３０は、サーボ用フォトディテクタ５０に照射される際のスポットの形状がデフォーカス量に応じて変化する、反射膜１０５により反射された反射光ビームＬ２を用いることで、安定的にフォーカス制御を行うことができる。
【０１２５】
また、光ピックアップ３６におけるダイクロイックプリズム４４は、偏光ビームスプリッタ４３よりも先に再生光ビームＬ３が入射されるよう配置される。ここで、光ピックアップ３６との比較用に、図７に示す仮想的な光ピックアップ１３６について検討する。
【０１２６】
光ピックアップ１３６は光ピックアップ３６と比較して、偏光ビームスプリッタ４３、集光レンズ４８、シリンドリカルレンズ４９及びサーボ用フォトディテクタ５０に代えて、ダイクロイックプリズム１４４、集光レンズ１５１、ピンホール板１５２及び再生用フォトディテクタ１５３が設けられている。
【０１２７】
また光ピックアップ１３６は光ピックアップ３６と比較して、ダイクロイックプリズム４４、集光レンズ５１、ピンホール板５２及び再生用フォトディテクタ５３に代えて、偏光ビームスプリッタ１４３、集光レンズ１４８、シリンドリカルレンズ１４９及びサーボ用フォトディテクタ１５０が設けられている。
【０１２８】
光ピックアップ１３６において、サーボ制御を行う際の光ディスク１００から反射された反射光ビームＬ２は、対物レンズ４７、リレーレンズ４６及び１／４波長板４５を介して偏光ビームスプリッタ１４３に入射される。
【０１２９】
偏光ビームスプリッタ１４３は、ｓ偏光でなる反射光ビームＬ２を反射し、集光レンズ１４８へ入射させる。集光レンズ１４８は反射光ビームＬ２を集光しシリンドリカルレンズ１４９を介してサーボ用フォトディテクタ１５０へ照射する。
【０１３０】
一方光ピックアップ１３６において、光ディスク１００から情報を再生する場合、光ディスク１００から発生した再生光ビームＬ３は、対物レンズ４７、リレーレンズ４６及び１／４波長板４５を介して偏光ビームスプリッタ１４３に入射される。
【０１３１】
再生光ビームＬ３は、ｓ偏光でなる反射光ビームＬ２とは異なり特定の偏光方向を有しておらず、無偏光である。このため再生光ビームＬ３は偏光ビームスプリッタ１４３に入射されると、反射透過面１４３Ｓの波長依存性にもよるが、その一部が反射される可能性がある。
【０１３２】
偏光ビームスプリッタ１４３を透過した再生光ビームＬ３は、ダイクロイックプリズム１４４に入射する。ダイクロイックプリズム１４４の反射透過面１４４Ｓは波長選択性を有しており、青色光以外の波長でなる光ビームをほぼ１００［％］の割合で反射するようになされている。このためダイクロイックプリズム１４４は、当該反射透過面１４４Ｓにおいて再生光ビームＬ３を約１００［％］の割合で反射し、集光レンズ１５１に入射させる。
【０１３３】
集光レンズ１５２は、再生光ビームＬ３を集光し、ピンホール板１５２を介して再生用フォトディテクタ１５３へ照射する。
【０１３４】
一方再生光ビームＬ３のうち偏光ビームスプリッタ１４３を透過せず反射された部分は、集光レンズ１４８に入射される。集光レンズ１４８は再生光ビームＬ３を集光しシリンドリカルレンズ１４９を介してサーボ用フォトディテクタ１５０へ照射する。
【０１３５】
このため光ピックアップ１３６では、サーボ用フォトディテクタ１５０の検出領域に再生光ビームＬ３が照射されてしまい、サーボ制御が不安定になる恐れがあった。
【０１３６】
また偏光ビームスプリッタ１４３において再生光ビームＬ３の一部又は全てが反射されると、光ディスク１００から発生した微弱な光量である再生光ビームＬ３のうち、再生用フォトディテクタ１５３に照射される再生光ビームＬ３の光量が減少する。このため、光ディスク装置３０が光ディスク１００に記録された情報を再生する際の精度が低下する恐れもあった。
【０１３７】
これに対し本実施の形態による光ピックアップ３６では、再生光ビームＬ３がダイクロイックプリズム４４により約１００［％］の割合で反射されるため、反射光ビームＬ２のみが偏光ビームスプリッタ４３に入射される。
【０１３８】
このためサーボ用フォトディテクタ５０は、再生光ビームＬ３の入射を排除でき、反射光ビームＬ２のみの光量を検出できる。これにより光ディスク装置３０の駆動制御部３２は、安定したサーボ制御を行うことができる。
【０１３９】
また本実施の形態による光ピックアップ３６では、再生光ビームＬ３がダイクロイックプリズム４４により約１００［％］の割合で反射され、再生用フォトディテクタ５３に照射される。
【０１４０】
このため再生用フォトディテクタ５３は、微弱な光量である再生光ビームＬ３のほぼ全ての光量を受光することができる。これにより光ディスク装置３０の信号処理部３３は、光ディスク１００に記録されている情報を高い精度で再生することができる。
【０１４１】
以上の構成によれば光ディスク１００は、蛍光記録材料により構成された記録層１０１に隣接して、光ビームを反射する反射膜１０５を有する。光ディスク装置３０は、波長選択性を有するダイクロイックプリズム４４により、光ビームＬ１が照射されて反射膜１０５で反射された、光ビームＬ１と同等の波長でなる反射光ビームＬ２と、記録層１０１から発生した再生光ビームＬ３とを分離する。続いて光ディスク装置３０は、反射光ビームＬ２をサーボ用フォトディテクタ５０に、再生光ビームＬ３を再生用フォトディテクタ５３にそれぞれ入射させる。また光ディスク装置３０は、反射光ビームＬ２のサーボ用フォトディテクタ５０による検出結果を基に、対物レンズ４７のフォーカス制御を行う。これにより光ディスク装置３０は、光ディスク１００に記録された情報を再生するための光ビームを出射するレーザダイオードと同一のレーザダイオードから出射された光ビームに基づき、フォーカス制御を行うことができる。
【０１４２】
＜２．他の実施の形態＞
なお上述した実施の形態においては、光ディスク装置３０が光ディスク１００に対して情報を記録すると共に、当該光ディスク１００から情報を再生する場合について述べた。
【０１４３】
本発明はこれに限らず、例えば光ディスク装置３０は、光ディスク１００に対して記録を行わず、光ディスク１００から情報を再生するのみでも良い。
【０１４４】
また上述した実施の形態においては、光ピックアップ３６が反射光ビームＬ２と再生光ビームＬ３とで異なる集光レンズを用いる場合について述べた。
【０１４５】
本発明はこれに限らず、図８に示す光ピックアップ２３６のように、反射光ビームＬ２と再生光ビームＬ３とで同じ集光レンズ２５１を用いても良い。
【０１４６】
光ピックアップ２３６において、偏光ビームスプリッタ２４３により反射された反射光ビームＬ２及び再生光ビームＬ３は集光レンズ２５１より集光されダイクロイックプリズム２４４に入射する。
【０１４７】
ダイクロイックプリズム２４４の反射透過面２４４Ｓは、青色光の波長でなる光ビームをほぼ１００［％］の割合で反射し、青色光以外の波長でなる光ビームをほぼ１００［％］の割合で透過させるようになされている。
【０１４８】
このためダイクロイックプリズム２４４は、当該反射透過面２４４Ｓにおいて、青色光でなる反射光ビームＬ２を反射し、シリンドリカルレンズ２４９により非点収差を持たせた上で当該反射光ビームＬ２をサーボ用フォトディテクタ２５０へ照射する。
【０１４９】
またダイクロイックプリズム２４４は、反射透過面２４４Ｓにおいて、青色光以外の波長でなる再生光ビームＬ３を透過させ、ピンホール板２５２を介して再生用フォトディテクタ２５３へ照射させる。
【０１５０】
これにより光ピックアップ２３６は、光ピックアップ３６と比べて、集光レンズを１つ省略することができるため、部品点数を削減することができる。
【０１５１】
さらに上述した実施の形態においては、光ディスク１００の記録層１０１と中間層１０２との境界面に反射膜１０５を形成し、照射された光ビームを反射させる場合について述べた。
【０１５２】
本発明はこれに限らず、例えば光ディスク１００から反射膜１０５を省略し記録層１０１を中間層１０２よりも高い屈折率の材料により構成し、当該記録層１０１と中間層１０２との屈折率の違いにより光ビームを反射するようにしても良い。
【０１５３】
要は光ディスク１００が、光ビームが合焦している記録層１０１と、当該記録層１０１から対物レンズ４７に近接する方向に隣接している中間層１０２との境界面における反射部により、外部より照射された光ビームＬ１をある程度反射できれば良い。
【０１５４】
さらに上述した実施の形態においては、光ディスク１００の反射膜１０５に、波長に関わらずほぼ一定の反射率で光ビームを反射する反射膜を用いる場合について述べた。
【０１５５】
本発明はこれに限らず、光ディスク１００の反射膜１０５が種々の波長選択性を有していても良い。この場合反射膜１０５は、例えば４０５［ｎｍ］の青色レーザ光でなる光ビームを１［％］の割合で反射し、４０５［ｎｍ］よりも長い波長の光ビームを約１００［％］透過させるよう構成される。
【０１５６】
このため光ディスク装置３０は、記録層１０１から発生した、青色光よりも長い波長であり微弱な光量である再生光ビームＬ３を、一部が反射膜１０５により基板１０４側に反射されることなく、再生用フォトディテクタ５３により受光することができる。これにより光ディスク装置３０は、光ディスク１００に記録されている情報を高い精度で再生することができる。
【０１５７】
さらに上述した実施の形態においては、光ディスク１００の反射膜１０５が光ビームを１［％］の割合で反射する場合について述べた。
【０１５８】
本発明はこれに限らず、光ディスク１００の反射膜１０５が種々の反射率を有していて良い。また、光ディスク１００が有する複数の反射膜１０５は、それぞれが異なった反射率を有していても良い。
【０１５９】
但し反射膜１０５の反射率を高くするほど、記録層から発生した再生光ビームＬ３が当該反射膜にて基板１０４側に反射されるため、再生用フォトディテクタ５３に入射する再生光ビームＬ３の光量が小さくなる。
【０１６０】
このため光ディスク装置３０は、光ディスク１００の反射膜の反射率が大きすぎると、光ディスク１００に記録されている情報を再生する精度が低下してしまう。
【０１６１】
これにより光ディスク１００の反射膜１０５の反射率は、光ディスク装置３０が光ディスク１００に記録されている情報を再生できる程度の大きさであることが望ましい。
【０１６２】
さらに上述した実施の形態においては、光ディスク装置３０がレーザダイオード４１から波長約４０５［ｎｍ］の青色レーザ光を出射させる場合について述べた。
【０１６３】
本発明はこれに限らず、レーザダイオード４１が種々の波長でなる光ビームを出射するようにしても良い。
【０１６４】
この場合光ディスク装置３０は、４０５［ｎｍ］よりも短い波長でなる光ビームをレーザダイオードから出射させれば、光ディスク１００に作成する記録マークを小さくする（すなわち解像度を高くする）ことができ、より精度高くかつ多くの情報を光ディスク１００に記録することができる。
【０１６５】
さらに上述した実施の形態においては、光ディスク１００の記録層１０１を、記録マークが形成されていない場合に再生光ビームＬ３を発生せず、記録マークが形成されると再生光ビームＬ３を発生しやすくなる蛍光記録材料により構成する場合について述べた。
【０１６６】
本発明はこれに限らず、情報が記録されていない場合に再生光ビームＬ３を発生し、記録マークが形成され情報が記録されると、再生光ビームＬ３を発生しなくなる蛍光記録材料により記録層１０１を構成しても良い。
【０１６７】
この場合光ディスク装置３０は、再生用フォトディテクタ５３により再生光ビームＬ３を受光しなかった場合、記録層１０１の目標トラックに値「１」が記録されており、再生光ビームＬ３を受光した場合、値「０」が記録されていると認識するようにすれば良い。
【０１６８】
さらに上述した実施の形態においては、光ディスク１００の記録層１０１は、高い光強度でなる光ビームを照射されると、光化学反応として２光子吸収反応が起き、記録マークが形成される蛍光記録材料により構成される場合について述べた。
【０１６９】
本発明はこれに限らず、例えば高い光強度でなる光ビームを照射されると光を吸収して焦点付近の温度が上昇し、熱化学反応が生じて、記録マークが形成される蛍光記録材料により構成されていても良い。
【０１７０】
要は光ディスク１００の記録層１０１は、高い光強度でなる光ビームＬ１を照射されることにより種々の反応が生じて記録マークが形成され、その後記録マークを形成される光強度よりも低い光強度でなる光ビームＬ１を照射されると、当該光ビームＬ１とは異なる波長でなる再生光ビームＬ３を発生する蛍光記録材料により構成されていれば良い。
【０１７１】
さらに上述した実施の形態においては、光源としてのレーザダイオード４１と、対物レンズとしての対物レンズ４７と、波長選択素子としてのダイクロイックプリズム４４と、反射光検出器としてのサーボ用フォトディテクタ５０とによって光ピックアップとしての光ピックアップ３６を構成する場合について述べた。
【０１７２】
本発明はこれに限らず、その他種々の回路構成でなる光源と、対物レンズと、波長選択素子と、反射光検出器とによって光ピックアップを構成するようにしても良い。
【０１７３】
さらに上述した実施の形態においては、光源としてのレーザダイオード４１と、対物レンズとしての対物レンズ４７と、波長選択素子としてのダイクロイックプリズム４４と、反射光検出器としてのサーボ用フォトディテクタ５０と、信号処理部としての信号処理部３３と、レンズ移動部としての２軸アクチュエータ５４とによって光ディスク装置としての光ディスク装置３０を構成する場合について述べた。
【０１７４】
本発明はこれに限らず、その他種々の回路構成でなる光源と、対物レンズと、波長選択素子と、反射光検出器と、信号処理部と、レンズ移動部とによって光ディスク装置を構成するようにしても良い。
【産業上の利用可能性】
【０１７５】
本発明は、映像や音声或いは種々のデータ等の情報を光ディスクに記録し、また当該光ディスクから当該情報を再生する光ディスク装置でも利用できる。
【符号の説明】
【０１７６】
１、３０……光ディスク装置、２……サーボ光学系、３……情報光学系、４……サーボ用レーザダイオード、５……ビームスプリッタ、６、４６……リレーレンズ、７……第１ダイクロイックミラー、８……第３ダイクロイックミラー、９、２１、４７……対物レンズ、１０、２０、１００……光ディスク、１００Ｈ……孔部、１１、１０３、１０４……基板、１２、２２、１０１……記録層、１３、１０５……反射膜、１４、５０、１５０、２５０……サーボ用フォトディテクタ、１５……記録再生用レーザダイオード、１７、５３、１５３、２５３……再生用フォトディテクタ、１６、４８、５１、１４８、１５１、２５１……集光レンズ、２３、１０２……中間層、１０３、１０４……基板、Ｌ１……光ビーム、Ｌ２……反射光ビーム、Ｌ３……再生光ビーム、Ｆ……焦点、３１……制御部、３２……駆動制御部、３３……信号処理部、３４……スピンドルモータ、３５……スレッドモータ、３６、１３６、２３６……光ピックアップ、４１……レーザダイオード、４２……コリメータレンズ、４３、１４３、２４３……偏光ビームスプリッタ、４３Ｓ、４４Ｓ、１４３Ｓ、１４４Ｓ、２４３Ｓ、２４４Ｓ……透過反射膜、４４、１４４、２４４……ダイクロイックプリズム、４５……１／４波長板、４９、１４９、２４９……シリンドリカルレンズ、５２、１５２、２５２……ピンホール板、５４……２軸アクチュエータ。
【図１】
2011003258.tif 000005
【図２】
2011003258.tif 000006
【図３】
2011003258.tif 000007
【図４】
2011003258.tif 000008
【図５】
2011003258.tif 000009
【図６】
2011003258.tif 000010
【図７】
2011003258.tif 000011
【図８】
2011003258.tif 000012